(57)【要約】【課題】天板部分に保冷体を収納するスペースを設けた紙箱であって、位置を問わず、上方からの圧力に強く、かつ組立ての容易な紙箱を提供する。【解決手段】紙箱Ａの後側板１の上端縁に天板２を設け、天板２の前端縁に折り込み板３を設け、上端縁が後側板１、左側板及び右側板の上端縁より低い前側板１０を設け、前側板１０の上端縁に中蓋１１を設け、中蓋１１の後端縁に前側板１０と同じ高さで、後側板１にほぼ接する支持体１３を設け、中蓋１１及び支持体１３を組立て紙箱Ａの内側に折り込み、支持体１３を後側板１の内側に沿って挿入し、後側板１の下端を底板上に当接させ、前側板１０と支持体１３で中蓋１１を支持し、天板２及び折り込み板３を折り込み、天板２と中蓋１１との間に保冷体収納スペースを設けた。【選択図】図１
0003138544.tif 000002
【実用新案登録請求の範囲】
【請求項１】
直方体形状で天板を開閉して、収納物を出し入れする紙箱において、
前記紙箱の後側板の上端縁に折り目を介して天板を設け、当該天板の前端縁に折り目を介して折り込み板を設け、上端縁が前記後側板、左側板及び右側板の上端縁より低い前側板を設け、当該前側板の上端縁に折り目を介して板状の中蓋を設け、当該中蓋の後端縁に折り目を介して前記前側板と同じ高さで、前記後側板にほぼ接する支持体を設け、
前記中蓋及び前記支持体を各折り目により当該紙箱の内側に夫々折り込み、前記支持体を前記後側板の内側に沿って挿入し、当該後側板の下端を底板上に当接させ、前記前側板と当該支持体で当該中蓋を支持し、前記天板及び前記折り込み板を折り目を介して夫々折り込み、前記天板と前記中蓋との間に保冷体収納スペースを設けたことを特徴とする、保冷体収納スペース付紙箱。
【請求項２】
前記中蓋に貫通孔を穿ったことを特徴とする、前記請求項１に記載の保冷体収納スペース付紙箱。
【請求項３】
前記中蓋の後端縁の折り目から当該中蓋上に略Ｕ字型の切り込みを設け、前記支持体の高さと前記折り目から当該切り込みの中蓋上の端縁までの長さの和は前記後側板の高さと同等とし、
前記支持体を折り込んで前記中蓋を固定した際、前記切り込みで囲まれた箇所は折り畳まれずに立設した状態で、前記天板の後端縁を支持することを特徴とする、前記請求項１又は２に記載の保冷体収納スペース付紙箱。
【請求項４】
前記前側板の上端縁の左右両端を上部へ延長させて延長部を設け、当該延長部の上縁を前記後側板、左側板及び右側板の高さと同等とし、前記延長部を有しない前側板の上端縁に折り目を介して板状の前記中蓋を設けたことを特徴とする、前記請求項１、２又は３の何れかに記載の保冷体収納スペース付紙箱。
【請求項５】
前記前後左右の各側板の両側巾を上方へ行くほど広げて設け、当該組立て紙箱の側面をテーパー形状に設けたことを特徴とする、前記請求項１、２、３又は４の何れかに記載の保冷体収納スペース付紙箱。
【考案の詳細な説明】
【技術分野】
【０００１】
この考案は、洋菓子店等において、菓子やその他の食品等の持ち運びに使用される組立て自在な紙箱に関するものであって、特に、当該紙箱内部の温度の上昇を防ぐ保冷体を収納するスペースを設けた保冷体収納スペース付紙箱に関するものである。
【背景技術】
【０００２】
従来、洋菓子店において、ケーキなどの生菓子を販売する際、持ち運びに便利な紙製の組立て箱（以下、単に「紙箱」と言う。）を使用している。この様な紙箱においては、気温が上がる夏場はもちろん、昨今では、冬であっても、多くの場所で暖房が行われているため、生ものであるケーキ等の生菓子が傷まないように、当該紙箱内に保冷体を収納するスペースを設け、当該スペースに保冷体を入れて、当該紙箱内の温度が上昇するのを防ぐようにしている。
【０００３】
前記保冷体の収納スペースは収納物に邪魔にならず、かつ保冷体が前記スペースから逸脱しないようにしなければならない。また、冷気は下方へ行くため、紙箱の上部に設けたほうが効率が良い。
【０００４】
この様な紙箱として、後側板の外端縁に折り目を介して開閉自在な天板を設け、前側板の上端縁に折り目を介して内側天板を設け、当該内側天板を紙箱の開口部方向に折り込んで当該開口部両端の左右側板の上部にある折り込み片で支持して当該開口部を塞ぎ、当該内側天板上に保冷体を載置し、その後、前記天板を折り込んで当該紙箱を閉じるというものがある。
【特許文献１】特開２００７−１８６２１８号公報
【考案の開示】
【考案が解決しようとする課題】
【０００５】
しかしながら、前記紙箱では、天板及び内側天板をもっぱら左右の側板で支持しているため、紙箱の中央などに上方から圧力がかかった場合、前記天板及び内側天板の該当する箇所は凹んでしまい、場合によっては、これらの天板等が開放してしまうことがあり、そうなると紙箱内の冷気が外部に逃げてしまい、保冷体を入れたとしても用を成さない。
【０００６】
この考案は、この様な状況に鑑みて行われたもので、天板部分に保冷体を収納するスペースを設けた紙箱であって、位置を問わず、上方からの圧力に強く、かつ組立ての容易な紙箱を提供して前記課題を解決するものである。
【課題を解決するための手段】
【０００７】
請求項１の考案は、直方体形状で天板を開閉して、収納物を出し入れする紙箱において、前記紙箱の後側板の上端縁に折り目を介して天板を設け、当該天板の前端縁に折り目を介して折り込み板を設け、上端縁が前記後側板、左側板及び右側板の上端縁より低い前側板を設け、当該前側板の上端縁に折り目を介して板状の中蓋を設け、当該中蓋の後端縁に折り目を介して前記前側板と同じ高さで、前記後側板にほぼ接する支持体を設ける。
【０００８】
また、前記中蓋及び前記支持体を各折り目により当該紙箱の内側に夫々折り込み、前記支持体を前記後側板の内側に沿って挿入し、当該後側板の下端を底板上に当接させ、前記前側板と当該支持体で当該中蓋を支持し、前記天板及び前記折り込み板を折り目を介して夫々折り込み、前記天板と前記中蓋との間に保冷体収納スペースを設けた保冷体収納スペース付紙箱とした。
【０００９】
請求項２の考案は、前記中蓋に貫通孔を穿った前記請求項１に記載の保冷体収納スペース付紙箱とした。
【００１０】
請求項３の考案は、前記中蓋の後端縁の折り目から当該中蓋上に略Ｕ字型の切り込みを設け、前記支持体の高さと前記折り目から当該切り込みの中蓋上の端縁までの長さの和は前記後側板の高さと同等とし、前記支持体を折り込んで前記中蓋を固定した際、前記切り込みで囲まれた箇所は折り畳まれずに立設した状態で、前記天板の後端縁を支持する前記請求項１又は２に記載の保冷体収納スペース付紙箱とした。
【００１１】
請求項４の考案は、前記前側板の上端縁の左右両端を上部へ延長させて延長部を設け、当該延長部の上縁を前記後側板、左側板及び右側板の高さと同等とし、前記延長部を有しない前側板の上端縁に折り目を介して板状の前記中蓋を設けた前記請求項１、２又は３の何れかに記載の保冷体収納スペース付紙箱とした。
【００１２】
請求項５の考案は、前記前後左右の各側板の両側巾を上方へ行くほど広げて設け、当該組立て紙箱の側面をテーパー形状に設けた前記請求項１、２、３又は４の何れかに記載の保冷体収納スペース付紙箱とした。
【考案の効果】
【００１３】
請求項１、２、３、４又は５の各考案によれば、保冷体を載置する中蓋を支持体で支持しているので、この中蓋を確実かつ強固に支持することが出来る。それ故、この紙箱の上方から圧力がかかったとしても、強固に持ちこたえることが出来、保冷が必要なケーキ等を入れて持ち運ぶ紙箱としては、信頼性が高いものである。
【００１４】
また、保冷体を載置する中蓋を、他の側板に比べて低く設けた前側板の上端縁から一体に設け、かつ中蓋の後端縁から、紙箱の底板上に達する支持体を一体に設けたので、構成が極めて簡単で容易かつ迅速に組立てることが出来る。
【００１５】
また、前記中蓋及び支持体は、折り畳み自在であるので、商品を当該紙箱内に入れる際は、これらを紙箱外方へ折り曲げておけば、邪魔にならない。さらに、当該中蓋は中に入れた商品の上方へ位置し、かつ支持体は後側板に沿って立設しているので、中に入れた商品の収納の邪魔にならない。
【００１６】
請求項２の考案によれば、前記中蓋に貫通孔を穿ったので、この紙箱内下方に冷気を円滑に流通させることが出来、当該紙箱内を効率良く冷やすことが出来、ケーキ等の収納物をより安心して持ち運びすることが出来る。
【００１７】
請求項３の考案によれば、前記中蓋の後端縁の折り目から当該中蓋上に略Ｕ字型の切り込みを設け、当該切り込みで囲まれた部分を折り畳まずに立設した状態で、折り込まれた前記天板の後端部を支持することとしたので、この紙箱の上方から力がかかったとしても、天板をより確実かつ強固に支持することが出来、紙箱内に収納したケーキ等を傷つけることが無く、安心である。
【００１８】
請求項４の考案によれば、前記後側板、左側板、右側板の上端縁、及び前側板の左右端の延長部の上端縁で前記天板を支持するようにしたので、この紙箱の上方から力がかかったとしても、天板を確実かつ強固に支持することが出来、紙箱内に収納したケーキ等を傷つけることが無く、安心である。また、中蓋の前端側の左右が左右の側板と離れているので、中蓋上に載せる保冷体の冷気を紙箱の下方へより流通させることが出来る。
【００１９】
請求項５の考案によれば、前記前後左右の各側板の両側巾を上方へ行くほど広げて設け、当該紙箱の側面をテーパー形状に設けたので、通常の直方体形状の箱に比べ、趣きがあり、購入者の気を引き、購買意欲を喚起させるものである。
【考案を実施するための最良の形態】
【００２０】
直方体形状で天板を開閉して、収納物を出し入れする紙箱において、前記紙箱の後側板の上端縁に折り目を介して天板を設け、当該天板の前端縁に折り目を介して折り込み板を設け、上端縁が前記後側板、左側板及び右側板の上端縁より低い前側板を設け、当該前側板の上端縁に折り目を介して板状の中蓋を設け、当該中蓋の後端縁に折り目を介して前記前側板と同じ高さで、前記後側板にほぼ接する支持体を設ける。
【００２１】
また、前記中蓋及び前記支持体を各折り目により当該紙箱の内側に夫々折り込み、前記支持体を前記後側板の内側に沿って挿入し、当該後側板の下端を底板上に当接させ、前記前側板と当該支持体で当該中蓋を支持し、前記天板及び前記折り込み板を折り目を介して夫々折り込み、前記天板と前記中蓋との間に保冷体収納スペースを設けた。これにより、この中蓋を確実かつ強固に支持することが出来る。それ故、保冷が必要なケーキ等を入れて持ち運ぶ紙箱としては、信頼性が高いものである。
【実施例１】
【００２２】
以下、この考案の実施例を図に基づいて説明する。
図１は、この考案の実施例の保冷体収納スペース付組立て紙箱の中蓋上に保冷体を載置した状態の断面図である。図２は、同斜視図である。図３は、同保冷体収納スペース付組立て紙箱の展開図である。図４は、同保冷体収納スペース付組立て紙箱を組立て、天板を開いた状態の斜視図である。
【００２３】
この実施例の組立て紙箱Ａを説明する。
図３に示すように、長方形状の後側板１の上端縁に折り目ａを介して長方形状の天板２を設け、当該天板２の上端縁に折り目ｂを介して、前記後側板１と略同形状の折り込み板３を設け、当該折り込み板３の上端縁の略中央に折り目ｃを介して折り込み舌片４を設けている。
【００２４】
前記後側板１の左端縁に折り目ｄを介して貼着片５を設け、当該後側板１の右端縁に折り目ｅを介して長方形状の右側板６を設け、当該後側板１の下端縁に折り目ｆを介して、下端縁に間をあけて二つの突部７ａを設けた略台形状の底片７を設けている。
【００２５】
前記右側板６の上端縁に折り目ｇを介して折り込み片８を設け、当該右側板６の下端縁に折り目ｈを介して逆さまで略Ｒ字形状の底片９を設け、当該右側板６の右端縁に折り目ｉを介して略長方形状の前側板１０を設けている。
【００２６】
当該前側板１０の上端縁の左右端から中央に向けて水平に一定長切り込みを夫々入れ、その後、当該前側板１０の中央に向けて斜めの切り込みを夫々入れ、これらの切り込みの各先端を結ぶ線を折り目ｊとし、当該折り目ｊから前記天板２とほぼ同大の略長方形状の中蓋１１を設ける。この中蓋１１の前端側の左右の角部は、前記前側板１０の切り込みに相応して切り取られた形状となっている。また、この中蓋１１上には円形状の貫通孔１２を３つ設けている。
【００２７】
前記中蓋１１の上端縁に折り目ｋを介して、前記前側板１０とほぼ同大の略長方形状で、先端の左右角部を少し切り取った形状の支持体１３を設けている。ここで、先端の左右角部を切り取っているのは、後述する支持体１３を折り目ｋにより組立て紙箱Ａの内側に向けて折り込んだとき、当該支持体１３の先端の左右角部が右側板６や後述する左側板１６の上端縁等にぶつからず、円滑に折り込まれるようにしたためである。この支持体１３の折り目ｋから先端縁までの長さは、前記前側板１０の下端縁から折り目ｊまでの長さと同等と成っている。
【００２８】
前記前側板１０の下端縁に折り目ｌ介して、略長方形状で下端縁に間をあけて二つの小さな長方形状の切り欠き１４ａを設けた底片１４を設けている。また、折り目ｌの中央部に一定長の切り込み１５を設けている。この前側板１０の右端縁に折り目ｍを介して長方形状の左側板１６を設け、この左側板１６の上端縁に折り目ｎを介して折り込み片１７を設け、この左側板１６の下端縁に折り目ｏを介して逆さまで略Ｒ字形状の底片１８を設けている。
【００２９】
前記各折り目ｅ、ｉ、ｍを順に折り込み、前記貼着片５を左側板１６の内側に貼着し、前記後側板１、右側板６、前側板１０、左側板１６を角筒状につなげる。さらに、前記各底片７、９、１４、１８を内側に折り畳んで相互に組み合わせて底板とし、組立て紙箱Ａを組立てる。そして、図４に示すように、前記中蓋１１及び支持体１３を折り目ｊを介して、この組立て紙箱Ａの内側に折り込み、さらに、折り目ｋの箇所で支持体１３を折り曲げて後側板１の内面に沿って挿入し、その下端を組立て紙箱Ａの底板上に到達させて中蓋１１を水平に支持する。そして、左右の折り込み片８、１７も組立て紙箱Ａの内側に夫々折り込む。
【００３０】
そして、図１及び２に示すように、この中蓋１１の上に保冷体Ｂを載置し、前記天板２及び折り込み板３を各折り目ａ、ｂにより、組立て紙箱Ａの内側に向けて折り込み、折り込み板３の折り込み舌片４を折り目ｃにより折り込んで前側板１０の下端の切り込み１５に差し入れて係止する。
【実施例２】
【００３１】
図５は、この考案の実施例２の保冷体収納スペース付組立て紙箱の展開図である。図６は、同保冷体収納スペース付組立て紙箱を組立て、天板を開いた状態の斜視図である。図７は、同保冷体収納スペース付組立て紙箱の中蓋上に保冷体を載置した状態の断面図である。
【００３２】
この実施例２の組立て紙箱Ａ´は、前記図５及び６に示すように、前記中蓋１１の折り目ｋの中央部から略Ｕ字型の切り込み１９を設けたものである。この切り込み１９内には、予め折り目を設けないようにする。他の構成は前記実施例１と全く同様となっている。そして、図６及び７に示すように、前記実施例１と同様に、この組立て紙箱Ａ´を形成し、前記中蓋１１及び支持体１３を折り目ｊを介して、組立て紙箱Ａ´の内側に折り込み、さらに、折り目ｋにより支持体１３を折り曲げてその下端を組立て紙箱Ａ´の底板上に到達させて中蓋１１を水平支持した際、前記切り込み１９によって囲まれた突片１９ａは真っ直ぐに上方に向かって立設しており、前記天板２の折り目ａにより、組立て紙箱Ａ´の内側に向けて折り込んだ時、この天板２の後端に前記立設した突片１９ａが当接し、天板２の後端を支持する形となっている。
【００３３】
さらに、前記前後左右の各側板１、６、１０、１６を上方へ行くほど広げて設け、当該組立て紙箱をテーパー形状に設けてもよい（図示省略）。
【００３４】
前記実施例では、この実施例の紙箱として、具体的に記載しているが、紙箱としては、これに限定するものでは無く、本願考案が実施出来るものであれば他の紙箱でももちろん良い。
【００３５】
また、中蓋１１を前記天板２とほぼ同大の略長方形状に設けているが、中蓋１１の形状や横巾の長さは、これらに限るものではなく、もっと横巾のせまいものや他の形状でもよい。また、支持体１３を前記前側板１０とほぼ同大の略長方形状に設けているが、支持体１３の形状や大きさは、これらに限るものではなく、中蓋１１の後端から折り曲げられて形成されていれば、もっと小さな大きさや他の形状、例えば、左右の端部の間を切り欠いて脚部としたようなものでもよく、中蓋１１を確実かつ強固に支持できるものなら良い。
【００３６】
そして、中蓋１１に３つの円形状の貫通孔１２を設けているが、貫通孔１２の形、数量などは限定するものではなく、また、この貫通孔１２は無くても良い。また、中蓋１１の前端側の左右の角部を切り取っているが、この切り取りは無くとも良く、さらに、実施例２では、組立て紙箱Ａ´の中蓋１１上に切り込み１９及びこれらに囲まれた突片１９ａを設けているが無くてもよい。
【００３７】
さらに、前記天板２及び折り込み板３を各折り目ａ、ｂにより、組立て紙箱Ａの内側に向けて折り込み、折り込み板３の折り込み舌片４を折り目ｃにより折り込んで切り込み１５に差し入れて係止しているが、組立て紙箱Ａの天板２を係止する方法はこれに限るものではなく、例えば、前側板１０の中央下部に水平な切り込みを設け、予め折り込み板３の下端縁の左右の角部を切り取って当該下端縁の中央部を突出させた形で形成し、この突出部を前記切り込みに差し入れて係止するようにしても良い。
【図面の簡単な説明】
【００３８】
【図１】この考案の実施例１の保冷体収納スペース付組立て紙箱の中蓋上に保冷体を載置した状態の断面図である。
【図２】この考案の実施例１の保冷体収納スペース付組立て紙箱の中蓋上に保冷体を載置し、天板を開いた状態の斜視図である。
【図３】この考案の実施例１の保冷体収納スペース付組立て紙箱の展開図である。
【図４】この考案の実施例１の保冷体収納スペース付組立て紙箱を組立て、天板を開いた状態の斜視図である。
【図５】この考案の実施例２の保冷体収納スペース付組立て紙箱の展開図である。
【図６】この考案の実施例２の保冷体収納スペース付組立て紙箱を組立て、天板を開いた状態の斜視図である。
【図７】この考案の実施例２の保冷体収納スペース付組立て紙箱の中蓋上に保冷体を載置した状態の断面図である。
【符号の説明】
【００３９】
Ａ    組立て紙箱                    Ａ´  組立て紙箱
Ｂ    保冷体
１    後側板                        ２    天板
３    折り込み板                    ４    折り込み舌片
５    貼着片                        ６    右側板
７    底片                          ８    折り込み片
９    底片                        １０    前側板
１１    中蓋                        １２    貫通孔
１３    支持体                      １４    底片
１５    切り込み                    １６    左側板
１７    折り込み片                  １８    底片
１９    切り込み                    １９ａ  突片
【図１】
0003138544.tif 000003
【図２】
0003138544.tif 000004
【図３】
0003138544.tif 000005
【図４】
0003138544.tif 000006
【図５】
0003138544.tif 000007
【図６】
0003138544.tif 000008
【図７】
0003138544.tif 000009